(57)【要約】【課題】複数の分析対象の土壌の成分分析をする場合の分析能率を向上させることができる土壌成分の分析用反応容器を提供する。【解決手段】土壌分析用反応容器は、土壌成分を含有する土壌溶液を注入するための注入部と、前記注入部から注入された土壌溶液中の土壌成分と反応試薬とを反応させるための複数の反応室と、前記注入部から注入された土壌溶液を前記各反応室に供給する土壌溶液供給路とを有するセクションを複数備えている。【選択図】図１
2020076583.tif 000002
【特許請求の範囲】
【請求項１】
土壌成分を含有する土壌溶液を注入するための注入部と、
前記注入部から注入された土壌溶液中の土壌成分と反応試薬とを反応させるための複数の反応室と、
前記注入部から注入された土壌溶液を前記各反応室に供給する土壌溶液供給路とを有するセクションを複数備えている土壌分析用反応容器。
【請求項２】
前記各セクションにおける前記複数の反応室は、相互に異なる土壌成分の反応をさせるための室である請求項１に記載の土壌分析用反応容器。
【請求項３】
前記各セクションは、注入された土壌溶液と関連付けるための指標部を有する請求項１又は２に記載の土壌分析用反応容器。
【請求項４】
前記複数のセクションは、第１方向に並べて設けられており、
前記複数の反応室は、前記第１方向及び上下方向に交差する第２方向に沿って並べて設けられ、
前記各セクションにおいて、前記土壌溶液供給路は、前記複数の反応室と前記第１方向に間隔をあけて形成され且つ前記第２方向に沿って形成された第１供給路と、前記第１供給路と前記反応室とを接続する流路であって各反応室ごとに設けられた複数の第２供給路とを有している請求項１〜３のいずれか１項に記載の土壌分析用反応容器。
【請求項５】
前記複数のセクションが周方向に並べて設けられた円盤状の容器本体を備え、
前記各セクションにおける前記複数の反応室は、前記容器本体の外周側に周方向に並べて設けられ、
前記各セクションの前記注入部は、前記容器本体の内周側に周方向に並べて設けられている請求項１〜３のいずれか１項に記載の土壌分析用反応容器。
【請求項６】
前記複数のセクションが上下方向に積層状に設けられている請求項１〜３のいずれか１項に記載の土壌分析用反応容器。
【請求項７】
前記各セクションにおける複数の反応室には、分析する土壌成分に対応した反応試薬が収容されると共に各反応室ごとに異なる土壌成分に対応した反応試薬が収容され、
各セクションごとには、同じ土壌成分に対応した反応試薬が収容されている請求項１〜６のいずれか１項に記載の土壌分析用反応容器。
【発明の詳細な説明】
【技術分野】
【０００１】
本発明は、土壌の成分である土壌成分を分析するのに用いられる土壌分析用反応容器に関する。
【背景技術】
【０００２】
従来、特許文献１に土壌分析用反応容器が開示されている。
特許文献１に開示された土壌分析用反応容器は、土壌成分を含有する土壌溶液中の土壌成分と反応試薬とを反応させるための容器であって、反応試薬が封入された複数の液体格納室を有する。この複数の液体格納室には、各液体格納室ごとに異なる土壌成分に対応した反応試薬が収容されている。各液体格納室に土壌溶液を注入すると、土壌成分と反応試薬が混ざり合い、発色する。そこにＬＥＤ光を照射して光の透過度をセンシングすることで、分析対象の土壌における複数種類の土壌成分の量をそれぞれ計測できる。
【先行技術文献】
【特許文献】
【０００３】
【特許文献１】特開２０１７−１９８６２３号公報
【発明の概要】
【発明が解決しようとする課題】
【０００４】
特許文献１に開示の反応容器は、１つの分析対象の土壌における複数種類の土壌成分を分析するための反応容器であるので、複数の分析対象の土壌の成分分析をする場合において、分析能率がわるいという問題がある。
本発明は、複数の分析対象の土壌の成分分析をする場合の分析能率を向上させることができる土壌分析用反応容器を提供することを目的とする。
【課題を解決するための手段】
【０００５】
本発明の一態様に係る土壌分析用反応容器は、土壌成分を含有する土壌溶液を注入するための注入部と、前記注入部から注入された土壌溶液中の土壌成分と反応試薬とを反応させるための複数の反応室と、前記注入部から注入された土壌溶液を前記各反応室に供給する土壌溶液供給路とを有するセクションを複数備えている。
また、前記各セクションにおける前記複数の反応室は、相互に異なる土壌成分の反応をさせるための室である。
【０００６】
また、前記各セクションは、注入された土壌溶液と関連付けるための指標部を有する。
また、前記複数のセクションは、第１方向に並べて設けられており、前記複数の反応室は、前記第１方向及び上下方向に交差する第２方向に沿って並べて設けられ、前記各セクションにおいて、前記土壌溶液供給路は、前記複数の反応室と前記第１方向に間隔をあけて形成され且つ前記第２方向に沿って形成された第１供給路と、前記第１供給路と前記反応室とを接続する流路であって各反応室ごとに設けられた複数の第２供給路とを有している。
【０００７】
また、前記複数のセクションが周方向に並べて設けられた円盤状の容器本体を備え、前記各セクションにおける前記複数の反応室は、前記容器本体の外周側に周方向に並べて設けられ、前記各セクションの前記注入部は、前記容器本体の内周側に周方向に並べて設けられている。
また、前記複数のセクションが上下方向に積層状に設けられている。
【０００８】
また、前記各セクションにおける複数の反応室には、分析する土壌成分に対応した反応試薬が収容されると共に各反応室ごとに異なる土壌成分に対応した反応試薬が収容され、各セクションごとには、同じ土壌成分に対応した反応試薬が収容されている。
【発明の効果】
【０００９】
上記の構成によれば、各セクションごとに異なる分析対象の土壌溶液を注入することにより、複数の分析対象の土壌の成分分析に対応することができる。これにより、分析能率を向上させることができる。
【図面の簡単な説明】
【００１０】
【図１】第１実施形態に係る反応容器の平面図及び一部の平面断面図である。
【図２】図１のＧ１−Ｇ１線矢視断面図である。
【図３】図１のＧ２−Ｇ２線矢視断面図である。
【図４】反応容器に注入される土壌の採取方法を示す構成図である。
【図５】分析装置の概略を示す概略図である。
【図６】第１実施形態の変形例を示す断面図である。
【図７】第２実施形態に係る反応容器の平面図である。
【図８】第３実施形態に係る反応容器の平面図である。
【図９】第３実施形態に係る反応容器の正面図である。
【発明を実施するための形態】
【００１１】
以下、本発明の実施形態について、図面を適宜参照しつつ説明する。
図１は、第１実施形態に係る土壌分析用反応容器１（以下、単に反応容器という）を示している。反応容器１は、土壌の成分（土壌に含まれる成分）である土壌成分の量を分析（計測）する分析装置に使用される容器であって、土壌成分を含有する土壌溶液中の土壌成分と、反応試薬とを混ざり合わせて呈色反応を生じさせるための容器である。
【００１２】
図１に示すように、反応容器１は、四角ブロック状の容器本体２と、複数のセクション３とを有する。
図１〜図３に示すように、容器本体２は、透明な材料で形成されていて、透光性（光の透過性の高い性質）を有する。容器本体２は、矩形の上壁面２ａと、該上壁面２ａと同形状の矩形の下壁面２ｂと、上壁面２ａと下壁面２ｂの上下方向で対応する端辺同士を連結する４つの側壁面（第１側壁面２ｃ〜第４側壁面２ｆ）とを有する６面体に形成されている。
【００１３】
第１実施形態において、容器本体２の第１側壁面２ｃ（一側面）に沿う方向を第１方向（図１の矢印Ａ１方向）といい、第２側壁面２ｄに沿う方向（第１方向Ａ１及び上下方向に交差（直交）する方向）を第２方向（図１の矢印Ａ２方向）という。
図１に示すように、複数のセクション３は、第１方向Ａ１に並べて設けられている。本実施形態にあっては、本実施形態では、複数のセクション３は、５つのセクション３（第１セクション３Ａ〜第５セクション３Ｅ）を含む。なお、セクション３は、２つ又は３つ或いは４つであってもよいし、６つ以上設けられていてもよい。
【００１４】
各セクション３は、土壌溶液を注入するための注入部４と、注入部４から注入された土壌溶液中の土壌成分と反応試薬７とを反応させるための複数の反応室５と、注入部４から注入された土壌溶液を各反応室５に供給する土壌溶液供給路６とを有する。即ち、反応容器１は、注入部４と複数の反応室５と土壌溶液供給路６とを有するセクション３を複数備えている。各セクション３には、それぞれ異なる分析対象の土壌の土壌溶液が注入される。したがって、反応容器１は、複数の分析対象の土壌の成分分析に対応することができる。本実施形態では、１つの反応容器１で５つの分析対象の土壌の成分分析に対応する。第１セクション３Ａ〜第５セクション３Ｅは、同様の構成である。
【００１５】
図１に示すように、注入部４は、第２方向Ａ２の一端側に設けられている。注入部４には、土壌溶液を上方から注入可能である。複数の反応室５は、第２方向Ａ２に沿って並べて設けられている。本実施形態では、６つの反応室５（第１反応室５Ａ〜第６反応室５Ｆ）が第２方向Ａ２に沿って並べて形成されている。各反応室５は、相互に独立して形成されており、連通していない。各反応室５には、土壌成分と混ざり合って呈色反応を生じさせる反応試薬７が収容されている。即ち、反応室５には、分析する土壌成分に対応した反応試薬７が収容される。反応試薬７としては、例えば、作物の成長に重要な要素である（肥料の３要素と言われる）窒素（硝酸態窒素・アンモニア態窒素）、リン酸、カリウムやミネラル分であるカルシウム・マグネシウムに対応（反応）する試薬である。なお、ここで挙げた反応試薬は、一例であり限定されない。反応試薬としては、例えば、ｐＨ、石灰等を分析するための反応試薬であってもよい。また、反応試薬は、固形状であってもよいし、液体状であってもよい。
【００１６】
また、各セクション３における各反応室５に収容される反応試薬７は、各反応室５ごと
に異なる土壌成分に対応した反応試薬７が収容されている。即ち、各セクション３における複数の反応室５は、相互に異なる土壌成分の反応をさせるための室である。これについて、具体的に一例をあげて説明すると、図１の左図に示すように、第１反応室５Ａには、硝酸態窒素に対応する反応試薬７Ａが収容され、第２反応室５Ｂには、アンモニア態窒素に対応する反応試薬７Ｂが収容され、第３反応室５Ｃには、リン酸に対応する反応試薬７Ｃが収容され、第４反応室５Ｄには、カリウムに対応する反応試薬７Ｄが収容され、第５反応室５Ｅには、カルシウムに対応する反応試薬７Ｅが収容され、第６反応室５Ｆには、マグネシウムに対応する反応試薬７Ｆが収容される。これにより、分析対象の土壌における複数種類の土壌成分の量をそれぞれ計測（分析）できる。なお、反応室５に対する反応試薬７の対応関係は、前述した例に限定されることはない。
【００１７】
また、各セクション３ごとには、同じ土壌成分に対応した反応試薬７が収容されている。即ち、第１セクション３Ａ〜第５セクション３Ｅにおける各第１反応室５Ａには、同じ反応試薬７が収容され、第１セクション３Ａ〜第５セクション３Ｅにおける第２反応室５Ｂには、同じ反応試薬７が収容され、第１セクション３Ａ〜第５セクション３Ｅにおける第３反応室５Ｃには、同じ反応試薬７が収容され、第１セクション３Ａ〜第５セクション３Ｅにおける第４反応室５Ｄには、同じ反応試薬７が収容され、第１セクション３Ａ〜第５セクション３Ｅにおける第５反応室５Ｅには、同じ反応試薬７が収容され、第１セクション３Ａ〜第５セクション３Ｅにおける第６反応室５Ｆには、同じ反応試薬７が収容される。
【００１８】
図１に示すように、土壌溶液供給路６は、注入部４に連通する第１供給路８と、第１供給路８から分岐した複数の第２供給路９とを有している。各セクション３において、第１供給路８は、第２方向に沿って、且つ注入部４から第６反応室５Ｆにわたって形成されている。第１供給路８は、複数の反応室５と第１方向Ａ１に間隔をあけて形成されている。
第２供給路９は、第１供給路８と反応室５とを接続する流路であって各反応室ごとに設けられている。詳しくは、第２供給路９は、第１反応室５Ａと第１供給路８とを連通する第１路９Ａと、第２反応室５Ｂと第１供給路８とを連通する第２路９Ｂと、第３反応室５Ｃと第１供給路８とを連通する第３路９Ｃと、第４反応室５Ｄと第１供給路８とを連通する第４路Ｄと、第５反応室５Ｅと第１供給路８とを連通する第５路９Ｅと、第６反応室５Ｆと第１供給路８とを連通する第６路９Ｆとを含む。
【００１９】
したがって、注入部４から土壌溶液を注入すると、該土壌溶液は、第１供給路８を流れると共に各第２供給路９から対応する反応室５に流れ込む。反応室５に土壌溶液が流れ込むと、各反応室５において、土壌溶液中の土壌成分と、反応試薬７とが混ざり合って呈色反応を生じる。反応容器１は、セクション３を複数有しているので、一度に、複数の分析対象の土壌の成分分析をすることができる。
【００２０】
図１に示すように、各セクション３は、注入された土壌溶液と関連付けるための指標部１０を有する。具体的には、指標部１０は、第１セクション３Ａに設けられた第１指標部１０Ａと、第２セクション３Ｂに設けられた第２指標部１０Ｂと、第３セクション３Ｃに設けられた第３指標部１０Ｃと、第４セクション３Ｄに設けられた第４指標部１０Ｄと、第５セクション３Ｅに設けられた第５指標部１０Ｅとである。指標部１０は、例えば、シール等によって構成される。
【００２１】
次に、分析対象の土壌の採取について説明する。
図４に示すように、土壌の採取対象である採取圃場Ｈ１を複数のエリアＱｎ（ｎ＝１，２，３・・・ｎ）に区画する。この採取圃場Ｈ１の区画は、パーソナルコンピュータ（ＰＣ）等の固定端末、スマートフォン、タブレット、ＰＤＡ等の携帯端末、固定端末及び携帯端末等が接続可能なサーバ等の管理コンピュータ等によって、採取圃場Ｈ１に対して、所定の縦長さＬ１及び横長さＬ２の複数のエリアＱｎに区分したメッシュ型のマップを作成することによって行う。
【００２２】
次に、複数のエリアＱｎ毎の採取位置Ｐｎを決める。採取位置Ｐｎは、一箇所の場合は、例えば、エリアＱｎの中心位置である。なお、採取位置Ｐｎは、各エリアＱｎについて二箇所以上であってもよい。各エリアＱｎについて土壌を複数採取した場合は、それらを
混ぜ合わせて１つの土壌サンプルとする。
土壌の採取は、例えば、作業者又は採取機で採取される。作業者又は採取機が、採取予定位置に位置すると、作業者に採取位置Ｐｎに到達したことが報知される。採取機は、筒体を圃場の地面に押し付けることによって圃場の土壌を採取するハンドサンプラーであっても、スコップであっても、その他の構造であってもよい。
【００２３】
次に、採取圃場Ｈ１における全てのエリアＱｎにおいて採取が完了すると、採取された土壌を乾燥した後、土壌溶液１１が生成される。
図４に示すように、土壌溶液１１は、抽出容器１２によって生成される。
ここでは、エリアＱ１〜エリアＱ５で採取した土壌である土壌サンプル１３の土壌溶液１１の生成について説明する。
【００２４】
土壌サンプル１３は、各々異なる抽出容器１２に入れられる。詳しくは、エリアＱ１で採取した土壌サンプル１３Ａは、抽出容器１２Ａに入れ、エリアＱ２で採取した土壌サンプル１３Ｂは、抽出容器１２Ｂに入れ、エリアＱ３で採取した土壌サンプル１３Ｃは、抽出容器１２Ｃに入れ、エリアＱ４で採取した土壌サンプル１３Ｄは、抽出容器１２Ｄに入れ、エリアＱ５で採取した土壌サンプル１３Ｅは、抽出容器１２Ｅに入れる。
【００２５】
また、抽出容器１２には、土壌サンプル１３と共に抽出液（成分を抽出させる液体）が入れられる。抽出液は、抽出容器に１２予め入れておいてもよいし、土壌サンプル１３と一緒に入れてもよいし、或いは、土壌サンプル１３を入れた後に入れてもよい。
次に、抽出容器１２を振とうさせることにより、土壌溶液１１を生成する。生成された土壌溶液１１は、濾過され、濾過後に反応容器１に入れられる。図例では、抽出容器１２Ａで生成された土壌溶液１１Ａは、第１セクション３Ａの注入部４から注入され、抽出容器１２Ｂで生成された土壌溶液１１Ｂは、第２セクション３Ｂの注入部４から注入され、抽出容器１２Ｃで生成された土壌溶液１１Ｃは、第３セクション３Ｃの注入部４から注入され、抽出容器１２Ｄで生成された土壌溶液１１Ｄは、第４セクション３Ｄの注入部４から注入され、抽出容器１２Ｅで生成された土壌溶液１１Ｅは、第５セクション３Ｅの注入部４から注入される。
【００２６】
各セクション３の指標部１０には、第１指標部１０Ａから第５指標部１０Ｅに向けて順に異なる識別番号が割り当てられている。これにより、土壌サンプル１３Ａ〜土壌サンプル１３Ｄを採取したエリアＱ１〜エリアＱ５と、注入した土壌溶液１１Ａ〜土壌溶液１１Ｄとを関連づける（対応させる）ことができる。
残りのエリアＱｎの土壌サンプル１３も、以上に説明した方法と同様に、他の反応容器１に注入する。各反応容器１の指標部１０には、反応容器１ごとにそれぞれ異なる識別番号が割り当てられる。
【００２７】
図５は、反応容器１に注入した土壌溶液１１中の土壌成分の量（含有量）を計測する（土壌分析を行う）分析装置１４を示している。分析装置１４は、反応室５内の土壌溶液１１の光学特性を、例えば、吸光光度法により測定し、土壌溶液１１中に含有する土壌成分を分析するものである。
分析装置１４は、発光部１５と、受光部１６と、制御部１７とを備えている。反応容器１は、発光部１５と受光部１６との間に配置される。発光部１５は、制御部１７からの指令により、反応室５に光を照射する。発光部１５から照射された光は、反応室５を透過する。反応室５を透過した光は、受光部１６で受光され、受光部１６は、受光した光の透過量を測定する。この光の透過量は、受光部１６から制御部１７に送られる。制御部１７は、受光部１６から出力された光の透過量を基に、反応室５内の土壌溶液１１の吸光度を算出し、算出した吸光度から土壌溶液１１中の土壌成分の濃度を算出する。これにより、土壌溶液１１中の土壌成分の量を計測（分析）することができる。
【００２８】
分析装置１４は、図示省略の移送装置を備えており、該移送装置によって反応容器１を第１方向Ａ１及び第２方向Ａ２に移送可能である。１のセクション３に注入された土壌溶液１１を分析する場合、反応容器１を第２方向Ａ２に移送することにより、第１反応室５Ａ〜第６反応室５Ｆに収容された土壌溶液１１を分析する。また、第１セクション３Ａの分析が終わると反応容器１を第１方向Ａ１に移送して第２セクション３Ｂに注入された土
壌溶液１１を分析する。以下、同じようにして、第５セクション３Ｅまで分析する。
【００２９】
図６は、第１実施形態に係る反応容器１の変形例を示している。この変形例に係る反応容器１は、容器本体２が、反応室５及び土壌溶液供給路６を有する主要部２Ａと、主要部２Ａの上部に着脱可能に設けられた蓋部２Ｂとを有する。蓋部２Ｂを主要部２Ａから外すと、各セクション３における各反応室５の上面が開口（開放）可能である。したがって、この変形例に係る反応容器１にあっては、土壌溶液１１を注入した後に、各反応室５に反応試薬を投入することができる。
【００３０】
図７は、第２実施形態に係る反応容器１を示している。この第２実施形態に係る反応容器１の容器本体２は、円盤状に形成されている。複数のセクション３は、容器本体２の周方向Ｒ１に並べて設けられている。各セクションにおいて、複数の反応室５は、容器本体２の外周側に周方向Ｒ１に並べて設けられている。
各セクションにおいて、注入部４は、容器本体２の内周側に設けられている。したがって、反応容器１における注入部４は、容器本体２に周方向Ｒ１に並べて設けられている。
【００３１】
土壌溶液供給路６は、注入部４に連通する第１供給路８と、第１供給路から分岐した複数の第２供給路９とを有している。第１供給路８は、注入部４から径方向外方に延びる第１通路８Ａと、第１通路８Ａの径方向外端側に連通し且つ容器本体２の周方向Ｒ１に延びる第２通路８Ｂを有する。複数の第２供給路９（第１路９Ａ〜第６路９Ｆ）は、第２通路８Ｂと各反応室５（第１反応室５Ａ〜第６反応室５Ｆ）とを連通する。
【００３２】
その他の構成は、前記第１実施形態と同様に構成される。
この第２実施形態において、反応容器１に注入した土壌溶液１１の土壌分析を図５に示す分析装置１４で行う場合にあっては、反応容器１を容器本体２の中心Ｏ１回りに回転移送可能とし、反応容器１を回転させて反応室５内の土壌溶液１１の分析を順次行う。
図８、図９は、第３実施形態に係る反応容器１を示している。この第３実施形態に係る反応容器１は、円柱状の容器本体２を上下方向に３分割し、それぞれをセクション３としている。言い換えると、反応容器１は、円盤状の複数のセクション３（第１セクション３Ａ〜第３セクション３Ｃ）を上下方向に積層状に設けて構成されている。
【００３３】
各セクション３における複数の反応室５（第１反応室５Ａ〜第６反応室５Ｆ）は、セクション３の外周側に周方向Ｒ２に並べて設けられている。各セクション３における土壌溶液供給路６の第１供給路８は、セクション３の周方向Ｒ２に延びる円形状に形成されている。第１セクション３Ａの第１供給路８は、第２セクション３Ｂの第１供給路８より径大であり、第２セクション３Ｂの第１供給路８は、第３セクション３Ｃの第１供給路８より径大である。各セクション３における注入部４は、第１供給路８から上方に延びている。各セクションの第２供給路９（第１路９Ａ〜第６路９Ｆ）は、第１供給路８からセクション３の径方向に延びて対応する反応室５（第１反応室５Ａ〜第６反応室５Ｆ）に連通している。
【００３４】
第３実施形態に係る反応容器１は、第１連通路１８及び第２連通路１９を有している。第１連通路１８は、第１セクション３Ａを貫通して形成され、且つ第２セクション３Ｂの注入部４に連通している。したがって、第２セクション３Ｂの注入部４には、第１連通路１８を介して土壌溶液が注入される。第２連通路１９は、第１セクション３Ａから第２セクション３Ｂにわたって貫通して形成され、且つ第３セクション３Ｃの注入部４に連通している。したがって、第３セクション３Ｃの注入部４には、第２連通路１９を介して土壌溶液が注入される。
【００３５】
第１セクション３Ａ〜第３セクション３Ｃは、相互に分離可能に接合されている。この第３実施形態に係る反応容器１に注入した土壌溶液の土壌分析を行う場合には、第１セクション３Ａ〜第３セクション３Ｃを相互に分離して行う。
本実施形態の反応容器１は、以下の効果を奏する。
反応容器１は、土壌成分を含有する土壌溶液１１を注入するための注入部４と、注入部４から注入された土壌溶液１１中の土壌成分と反応試薬７とを反応させるための複数の反応室５と、注入部４から注入された土壌溶液１１を各反応室５に供給する土壌溶液供給路６とを有するセクション３を複数備えている。
【００３６】
この構成によれば、各セクション３ごとに異なる分析対象の土壌溶液１１を注入することにより、複数の分析対象の土壌の成分分析に対応することができる。これにより、分析能率を向上させることができる。
また、各セクション３における複数の反応室５は、相互に異なる土壌成分の反応をさせるための室である。
【００３７】
この構成によれば、複数の分析対象の土壌の複数の成分分析をすることができる。
また、各セクション３は、注入された土壌溶液１１と関連付けるための指標部１０を有する。
この構成によれば、セクション３と該セクション３に注入された土壌溶液１１とを関連付けることができる。
【００３８】
また、複数のセクション３は、第１方向Ａ１に並べて設けられており、複数の反応室５は、第１方向Ａ１及び上下方向に交差する第２方向Ａ２に沿って並べて設けられ、各セクション３において、土壌溶液供給路６は、複数の反応室５と第１方向Ａ１で間隔をあけて形成され且つ第２方向Ａ２に沿って形成された第１供給路８と、第１供給路８と反応室５とを接続する流路であって各反応室５ごとに設けられた複数の第２供給路９とを有している。
【００３９】
この構成によれば、複数のセクション３を備えた反応容器１を容易に形成することができる。
また、複数のセクション３が周方向Ｒ１に並べて設けられた円盤状の容器本体２を備え、各セクション３における複数の反応室５は、容器本体２の外周側に周方向Ｒ１に並べて設けられ、各セクション３の注入部４は、容器本体２の内周側に周方向Ｒ１に並べて設けられている。
【００４０】
この構成によっても、複数のセクション３を備えた反応容器１を容易に形成することができる。
また、複数のセクション３が上下方向に積層状に設けられていてもよい。
また、各セクション３における複数の反応室５には、分析する土壌成分に対応した反応試薬７が収容されると共に各反応室５ごとに異なる土壌成分に対応した反応試薬７が収容され、各セクション３ごとには、同じ土壌成分に対応した反応試薬が収容されている。
【００４１】
この構成によれば、複数の分析対象の土壌の複数の成分分析について、同じ成分分析をすることができる。
以上、本発明の一実施形態について説明したが、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４２】
２    容器本体
３    セクション
４    注入部
５    反応室
６    土壌溶液供給路
７    反応試薬
８    第１供給路
９    第２供給路
１０    指標部
１１    土壌溶液
Ａ１  第１方向
Ａ２  第２方向
Ｒ１  周方向
【図１】
2020076583.tif 000003
【図２】
2020076583.tif 000004
【図３】
2020076583.tif 000005
【図４】
2020076583.tif 000006
【図５】
2020076583.tif 000007
【図６】
2020076583.tif 000008
【図７】
2020076583.tif 000009
【図８】
2020076583.tif 000010
【図９】
2020076583.tif 000011